(57)【要約】【課題】多様なデザインを楽しむことが可能なドレスおもちゃを提供する。【解決手段】衣服部１０の基本的構成部分となるドレス本体部１３の全体が、表面全体にフック側・面ファスナーを着脱自在に取付可能な布地（例えば、ダクロン）を用いて形成されている。装飾部材２０Ａ〜２０Ｇは、所定の装飾的外観を呈する装飾本体部にフック部を有するフック側・面ファスナーが固着された構成とされている。装飾部材２０Ａ〜２０Ｇは、ドレス本体部１３の表面全体の任意位置に、着脱自在に取付けられる。【選択図】        図５
2005002524.tif 000002
【特許請求の範囲】
【請求項１】
装飾本体部に、フック部を有するフック側・面ファスナーが固着された装飾部材と、
前記フック側・面ファスナーを着脱自在に取付可能な表面態様を持つ布地を用いて形成された衣服本体部を含む衣服部と、
を備えたドレスおもちゃ。
【請求項２】
請求項１記載のドレスおもちゃであって、
前記布地は、ダクロンである、ドレスおもちゃ。
【請求項３】
請求項１記載のドレスおもちゃであって、
前記布地は、表面全体にループ状の毛を有するものである、ドレスおもちゃ。
【請求項４】
請求項１〜請求項３のいずれかに記載のドレスおもちゃであって、
前記衣服本体部は、着用者の上半身及び下半身を覆う基本的構成部分である、ドレスおもちゃ。
【発明の詳細な説明】
【０００１】
【発明の属する技術分野】
この発明は、子供が楽しく着用して遊ぶことができるドレスおもちゃに関する。
【０００２】
【発明の背景】
子供自身が着て遊ぶドレスおもちゃでは、可愛らしく見せたり、豪華に見せるため、リボンや花飾り等の装飾部材が取付けられている。
【０００３】
これらの装飾部材は、例えば、衣服本体の一定位置に着脱不能に縫着されている。
【０００４】
【発明が解決しようとする課題】
しかしながら、上述のようなドレスおもちゃでは、装飾部材が衣服本体の一定位置に着脱不能に取付けられているため、デザイン的な楽しみが少ないという問題点があった。
【０００５】
そこで、この発明の課題は、多様なデザインを楽しむことが可能なドレスおもちゃを提供することにある。
【０００６】
【課題を解決するための手段】
上記課題を解決すべく、請求項１記載の発明は、装飾本体部に、フック部を有するフック側・面ファスナーが固着された装飾部材と、前記フック側・面ファスナーを着脱自在に取付可能な表面態様を持つ布地を用いて形成された衣服本体部を含む衣服部と、を備えたものである。
【０００７】
請求項２記載のように、前記布地としては、ダクロンを用いるとよい。
【０００８】
また、請求項３記載のように、前記布地は、表面全体にループ状の毛を有するものであるとよい。
【０００９】
さらに、請求項４記載のように、前記衣服本体部は、着用者の上半身及び下半身を覆う基本的構成部分であってもよい。
【００１０】
【発明の実施の形態】
以下、この発明の実施の形態に係るドレスおもちゃについて説明する。
【００１１】
このドレスおもちゃは、ワンピースドレスを模したおもちゃであり、図１に示すように、衣服部１０と、装飾部材２０Ａ〜２０Ｇとを備えている。
【００１２】
衣服部１０は、着用者の上半身を覆う上半身部１１と下半身を覆うスカート部１２とを一体化したドレス本体部１３と、上半身部１１に取付けられて着用者の肩を覆う肩部１８と、スカート部１２の下周縁部に取付けられる裾部１９とを備えている。
【００１３】
上記ドレス本体部１３は、装飾部材２０Ａ〜２０Ｇのフック側・面ファスナーを着脱自在に取付可能な表面態様を持つ布地を用いて形成されている。このような表面態様を持つ布地としては、表面全体にループ状の毛１３ａが形成された布地（図４参照）を挙げることができる。ここで毛１３ａがループ状になっている態様には、繊維自体がループ状に編込まれたものの他、表面の起毛がからまりあってループ状になったものを含む。このような布地としては、ポリエチレンテレフタレート繊維の一種であるデュポン社製のダクロン（Ｄａｃｒｏｎ）（商標名）を用いることが好ましく、その他、一般的に、ツィスロンやマジックスェード等と呼ばれている布地等を用いることができる。これらの布地の表面には、微細な毛１３ａが密に起毛され、適宜ループ状をなしている。このため、比較的肌触りがよい上、後述するフック側・面ファスナー２４等を繰返し着脱するのにも適している。
【００１４】
装飾部材２０Ａ〜２０Ｇは、上記衣服部１０を装飾するための部材であり、ここでは、複数種類（より具体的には７種類）の装飾部材２０Ａ〜２０Ｇを備えている。
【００１５】
装飾部材２０Ａはリボンを模した部材であり、装飾部材２０Ｂはレース地で形成した装飾部材であり、装飾部材２０Ｃは上記装飾部材２０Ａより大きめでかつ異色のリボンを模した部材であり、装飾部材２０Ｄはバラを模した部材であり、装飾部材２０Ｅはチュール地で形成した装飾部材である。
【００１６】
また、装飾部材２０Ｆは帯状の布をその長手方向に沿って適宜間隔で絞りその絞った部分にハート型の部材を取付けた装飾部材である。この装飾部材２０Ｆにおけるハート型の部材の表面は、上記ドレス本体部１３を形成する布地と同様の布地で覆われており、当該ハート型の部材の表面にも、他の装飾部材２０Ａ〜２０Ｅ，２０Ｇを着脱自在に取付けることが可能となっている。
【００１７】
また、装飾部材２０Ｇはハート型の装飾部材である。
【００１８】
装飾部材２０Ｄについてより具体的に説明すると、図２〜図４に示すように、装飾部材２０Ｄは、装飾本体部２２Ｄと、フック側・面ファスナー２４とを備えている。
【００１９】
装飾本体部２２Ｄは、布等を用いてバラの花弁状に形成されている。
【００２０】
フック側・面ファスナー２４は、図３及び図４に示すように、柔軟な基材２６上に、弾性樹脂等により形成される略Ｊ字状のフック部２５が複数立設された形状を有している。
【００２１】
そして、このフック側・面ファスナー２４をドレス本体部１３の表面に圧接することにより、各フック部２５がドレス本体部１３側の毛１３ａに引っ掛かるように係合する。これにより、装飾部材２０Ｄがドレス本体部１３の表面に取付けられる。
【００２２】
また、この状態から、フック側・面ファスナー２４をドレス本体部１３の表面から引離すと、各フック部２５が略直線状に延びるように弾性変形し、各フック部２５と毛１３ａとの係合状態が解除されるようになっている。
【００２３】
このフック側・面ファスナー２４は、例えば、糸を用いて基材２６の外周囲を装飾本体部２２Ｄの裏面に縫付けることにより、装飾本体部２２Ｄに固着されている。
【００２４】
その他の装飾部材２０Ａ〜２０Ｃ，２０Ｅ〜２０Ｇについても、同様に、適宜装飾形状を呈する装飾本体部の裏側に、上記フック側・面ファスナー２４が固着された構成となっている。
【００２５】
このように構成されたドレスおもちゃでは、図５に示すように、上記各装飾部材２０Ａ〜２０Ｇのうち任意の単数又は複数のものを、ドレス本体部１３の表面における任意の位置（例えば、首周りや胸元、スカート部１２の前側或は後側）に取付けることができる。このため、装飾部材２０Ａ〜２０Ｇの組合せ自由度や取付位置の自由度に優れ、多様なデザインを楽しむことができる。
【００２６】
特に、ドレスおもちゃのうち着用者の上半身及び下半身を覆う基本的構成部分たるドレス本体部１３の全体がツィスロン又はマジックスェード等の布地を用いて形成されているため、そのドレス本体部１３の表面全体の任意位置に、上記各装飾部材２０Ａ〜２０Ｇを取付けることができ、取付位置の自由度に格段に優れている。
【００２７】
【発明の効果】
以上のように、この発明のドレスおもちゃによると、衣服部の衣服本体部は、フック側・面ファスナーを着脱自在に取付可能な表面態様を持つ布地を用いて形成されているため、装飾部材を、衣服部の衣服本体部表面の任意位置に着脱自在に取付けることができるため、多様なデザインを楽しむことができる。
【００２８】
特に、布地として、ダクロンを用いると、比較的肌触りがよい上、フック側・面ファスナーを繰返し着脱するのに適したドレスおもちゃを得ることができる。
【００２９】
特に、衣服本体部が、着用者の上半身及び下半身を覆う基本的構成部分である場合には、装飾部材の取付位置に格段に優れる。
【図面の簡単な説明】
【図１】この発明の実施の形態に係るドレスおもちゃを示す図である。
【図２】装飾部材を示す平面図である。
【図３】装飾部材を示す底面図である。
【図４】装飾部材をドレス本体部に取付けた状態を示す要部拡大図である。
【図５】装飾部材を衣服部に取付ける例を示す図である。
【符号の説明】
１０  衣服部
１３  ドレス本体部
１３ａ  毛
２０Ａ〜２０Ｇ  装飾部材
２２Ｄ  装飾本体部
２４  フック側・面ファスナー
２５  フック部
【図１】
2005002524.tif 000003
【図２】
2005002524.tif 000004
【図３】
2005002524.tif 000005
【図４】
2005002524.tif 000006
【図５】
2005002524.tif 000007